(57)【特許請求の範囲】
【請求項１】
透明で蓋状の捕虫ケース（１）と、内側に粘着面（31）を有する捕虫箱（３）と、前記捕虫ケース（１）の外側に取付けると共に前記捕虫ケース（１）の内側に前記捕虫箱（３）が着脱可能に設けられるための捕虫箱着脱具（２）と、該捕虫箱着脱具（２）に先端を回動可能に取付けた柄（４）と、から構成したことを特徴とする捕虫具。
【請求項２】
前記捕虫箱着脱具（２）が合成樹脂製であり、前記捕虫箱着脱具（２）は、前記捕虫ケース（１）の外側に固定して取付けるための固定部（21）と、該固定部（21）と一体に形成した折曲可能で且つ復元可能な一対の可動部（22）と、該可動部（22）の一端に設けると共に前記捕虫箱（３）に係止して前記捕虫ケース（１）の内側に前記捕虫箱（３）を保持させるための係止片（23）を有する請求項１記載の捕虫具。
【請求項３】
前記捕虫箱（３）が１枚の厚紙であり、その内部に粘着面（31）を設けると共に着脱可能に係止させるための前記係止片（23）が挿入される穴（32）を穿設した請求項２記載の捕虫具。
【発明の詳細な説明】
【技術分野】
【０００１】
本発明は、床や壁などにゴギブリ，蝿，蚊，百足などの害虫の出没時に、手を汚すことなく、確実に捕虫箱で捕虫するためのものであり、特には、ある程度の数の害虫を捕まえた後は、その捕虫箱をワンタッチでごみ箱に捨てることができ、新たな捕虫箱が簡単にセットできる捕虫具に関する。
【背景技術】
【０００２】
一般に室内などに突然現れたゴキブリなどに対して、殺虫剤か物理的に殺そうとすると、ゴキブリなどの動きが速いため殺し損ねることが多かった。しかも、その後の処分は、特に女性に於いては苦手な人が多かった。
【０００３】
このため、ゴキブリなどを発見したらその場で直ちに潰さずに殺すことなく、誰でも簡単に、且つ、衛生的に退治する捕虫具として、実開昭６３−１２４３８４号「ゴキブリ・ハエとり具」が提案されている。この構造は、この図１、図２に示すように透明な上面に複数の穴を穿設した底なしの直方体の前部と不透明で直方体の後部とが一体に形成され、後方に柄が取付けられたものであり、これは捕虫しようとするゴキブリやハエの上方から被せて逃げ道を塞ぎ、直方体の後部底面に粘着剤を塗り、その底面にゴキブリやハエを付着させて動けなくするものであった。
【０００４】
しかしながら、実開昭６３−１２４３８４号は、ゴキブリやハエなどが所定数匹底面に付着して捕虫されると、ゴキブリ・ハエとり具全体を捨てるため、資源の浪費となり、且つ、合成樹脂を焼却処分すると、二酸化炭素や他の有害ガスが発生し、自然環境に配慮されたものではなかった。また新たなゴキブリ・ハエとり具をその都度購入するか、或いは、まとめて購入する必要があった。この時、その都度購入する場合、購入する手間が掛ると共に売切れて手に入らぬことも考えられ、一方、まとめて購入する場合、それを保管する場所が必要となっていた。
【先行技術文献】
【特許文献】
【０００５】
【特許文献１】実開昭６３−１２４３８４号公報
【発明の概要】
【発明が解決しようとする課題】
【０００６】
本発明は床や壁或いは天井等にゴギブリ，蝿，蚊，百足などの害虫が出没した時に、手を汚すことなく、確実に且つ効率良く捕虫して除去することができ、ある程度の数の害虫を捕まえた後は、その捕虫が粘着面に付着された捕虫箱をワンタッチでごみ箱に捨てることが出来ると共に、新たな捕虫箱が簡単にセットでき、且つ、自然環境にやさしい捕虫具を提供することを目的とする。
【課題を解決するための手段】
【０００７】
本発明は上記現状に鑑み成されたものであり、つまり、透明で蓋状の捕虫ケースと、該捕虫ケースの外側に取付けると共に捕虫ケースの内側に捕虫箱が着脱可能に設けられるための捕虫箱着脱具と、内側に粘着面を有する捕虫箱と、捕虫箱着脱具に先端を回動可能に取付けた柄と、から構成する。また捕虫箱着脱具を合成樹脂製で形成し、捕虫ケースの外側に固定して取付けるための固定部と、該固定部と一体に形成した折曲可能で且つ復元可能な一対の可動部と、その可動部の一端に設けると共に捕虫箱に係止して捕虫ケースの内側に捕虫箱を保持させるための係止片と、から少なくとも成された捕虫箱着脱具を用いるのが好ましく、又、捕虫箱が１枚の厚紙で形成され、その内部に粘着面を設けると共に着脱可能に係止させるための係止片が挿入される穴を穿設すると良い。
【０００８】
尚、本発明で言う「蓋状」とは、上面とその周縁に袴を有した扁平で底なしの略々直方体等を指し、害虫を囲み捕虫出来る扁平で底なしの形状であれば良い。
【発明の効果】
【０００９】
請求項１のように透明で蓋状の捕虫ケース（１）と、該捕虫ケース（１）の外側に取付けると共に捕虫ケース（１）の内側に捕虫箱（３）が着脱可能に設けられるための捕虫箱着脱具（２）と、内側に粘着面（31）を有する捕虫箱（３）と、捕虫箱着脱具（２）に先端を回動可能に取付けた柄（４）と、から構成することにより、床や壁或いは天井等にゴギブリ，蝿，蚊，百足などの害虫の出没時に、手を汚すことなく、誰にでも簡単で且つ素早く害虫を粘着面（31）に付着させ、確実でしかも効率良く捕虫して除去することができ、ある程度の数の害虫を捕虫した後は、その捕虫箱（３）のみをワンタッチでごみ箱に捨てることが出来ると共に、新たに設ける捕虫箱（３）が簡単にセット出来るものとなる。従って、特に女性に於いては手を汚すことなく、簡単に、且つ、確実で衛生的に捕虫でき、しかも、その後の処分も極めて容易なものとなるため、重宝な捕虫具となるのである。
【００１０】
請求項２のように捕虫箱着脱具（２）が合成樹脂製であり、それが、捕虫ケース（１）の外側に固定して取付けるための固定部（21）と、該固定部（21）と一体に形成した折曲可能で且つ復元可能な一対の可動部（22）と、その可動部（22）の一端に設けると共に捕虫箱（３）に係止して捕虫ケース（１）の内側に捕虫箱（３）を保持させるための係止片（23）と、から少なくとも成されることにより、捕虫箱（３）の着脱が確実に行えると共に安価に製作できるものとなる。
【００１１】
請求項３に示すように捕虫箱（３）が１枚の厚紙であり、その内部に粘着面（31）を設けると共に着脱可能に係止させるための係止片（23）が挿入される穴（32）を穿設することにより、安価に製作できると共に捕虫箱（３）が展開した状態で保管できるため、その輸送時や保管時に場所を取らず、効率良く輸送や保管が行えるものとなる。また紙製の捕虫箱（３）であるので、有害ガスが発生せず、且つ、燃えるゴミとして処分できるものとなる。
【図面の簡単な説明】
【００１２】
【図１】本発明の実施形態を示す斜視図である。
【図２】本実施形態の捕虫ケースと捕虫箱着脱具を示す説明図である。
【図３】本実施形態の捕虫箱を示す斜視図である。
【図４】本実施形態の捕虫箱を展開した状態を示す説明図である。
【図５】本発明の使用状態を示す説明図である。
【発明を実施するための形態】
【００１３】
本発明の実施形態を図１に基づいて説明する。（１)は透明で薄い合成樹脂製板材で形成された扁平で底面なしの略々直方体（図２参照）である捕虫ケースであり、該捕虫ケース（１）の上面には、後述する捕虫箱着脱具（２）の係止片（23）を挿入させて、後述する捕虫箱（３）を着脱させるための２つの逃げ穴（11）と、捕虫箱着脱具（２）を固定するための図示しない複数の穴と、が穿設されている。尚、害虫を捕虫ケース（１）で被せた際、その内部は密閉状態となる。
【００１４】
（２）は捕虫ケース（１）の外側に取付けると共に捕虫ケース（１）の内側に前記捕虫箱（３）が着脱可能に設けられるための合成樹脂製の捕虫箱着脱具であり、該捕虫箱着脱具（２）には、捕虫ケース（１）の外側に固定して取付けるための固定部（21）と、該固定部（21）と一体に形成した折曲可能で且つ復元可能な一対の可動部（22）と、その可動部（22）の一端に設けると共に前記捕虫箱（３）に係止して捕虫ケース（１）の内側にその捕虫箱（３）を保持させるための係止片（23）と、略中央部に設けると共に後述する柄（４）の先端が回動可能に取付けられるための取付部（24）と、可動部（22）の端部に設けた指掛用の突起（25）と、がある。前記固定部（21）には、前記複数の穴に挿入して熱圧着させて固定するための図示しない突起が設けられている。また取付部（24）は、軸受部と、そこに一体成形した図示しない固定軸とから形成されている。尚、前記捕虫箱（３）を着脱可能に設ける機構は、上記の如く前記係止片（23）が穴（32）に係止する機構に限定されるものではなく、例えば、捕虫箱（３）の壁部分に穴を穿設させ、その穴に挿入させる機構のものや、捕虫箱（３）の壁部分を挟持させる機構のものなどとしても良い。
【００１５】
（３）は図４に示す１枚の厚紙を折り曲げて組立てた略四角筒状の捕虫箱であり、該捕虫箱（３）には、その内部に粘着剤などを塗布して設けた粘着面（31）と、捕虫箱（３）の両側に穿設すると共に係止片（23）が挿入されて捕虫ケース（１）に捕虫箱（３）を着脱可能に係止させて支持するために用いる穴（32）と、図４の如く展開した際に両端に設けた一対の掛止片（33）と、捕虫箱（３）の入口側が図３に示す如く傾斜面にするための傾斜部（34）と、厚紙を折り曲げて捕虫箱（３）に組立てるための複数本の谷折線（35）及び山折線（36）とがある。又、前記捕虫箱（３）は捕虫ケース（１）の内側に取付けられる際、ガタがなく装着されるように形成されている。尚、前記傾斜部（34）を設けることにより、害虫が入って来た際、害虫が奥まで入ってから粘着面（31）に付着されるため、より確実に捕虫出来るものとなる。尚、前記傾斜部（34）は必ずしも必要でなはない。又、前記捕虫箱（３）は展開した状態のものを所定枚数小袋に入れて、捕虫箱（３）だけを別売り出来るようにしておくと良い。
【００１６】
（４）は捕虫箱着脱具（２）に先端を回動可能に取付けた伸縮自在な柄であり、該柄（４）には、捕虫箱着脱具（２）の取付部（24）の前記固定軸に、挟持させて回動可能で且つその角度が維持出来る程度の固さを有する取付部（41）と、柄（４）の長さが伸縮自在に調節するための伸縮調節部（42）と、把持部（43）とがある。又、前記取付部（41）は、前記取付部（24）に対して回動可能になる構造のものであれば、他の機構のものでも良い。また伸縮調節部（42）も長さが伸縮できる構造のものであれば、他の構造のものでも良い。尚、前記柄（４）の先端は、捕虫箱着脱具（２）の取付部（24）に取付けずに、捕虫ケース（１）の端部や上面部などに回動可能に取付けたものとしても良い。この時には、捕虫箱着脱具（２）の取付部（24）は不要とする。又、前記柄（４）は伸縮自在ではなく、単に長尺なものを用いても良い。
【００１７】
次に本発明の使用方法を図２に基づいて説明する。先ず本発明品を購入すると、柄（４）付きの捕虫ケース（１）と共に展開した状態の捕虫箱（３）が複数枚備えられている。先ず始めに捕虫箱（３）を捕虫ケース（１）の内側に装着させる場合について説明する。先ず図４に示す展開状態の捕虫箱（３）を１枚取出し、粘着面（31）の上に設けた図示しない剥離紙を剥がす。その後、谷折線（35）及び山折線（36）に沿って折り曲げると共に両端の掛止片（33）同志を掛止させる。すると、図３に示す状態に組立てられるのである。次に組立てられた捕虫箱（３）を捕虫ケース（１）の内側の後端に当接させて配置させ、指掛用の突起（25）を指で掴むようにすると、突起（25）の間隔が図２の図中の２点鎖線のように移動して縮められ、係止片（23）の先端が外側に向って若干回転した状態を確保しながら、係止片（23）の先端を捕虫箱（３）の穴（32）の下に挿入できるようにさせる。そして指を突起（25）から離せば、係止片（23）の先端が穴（32）の裏面側を支持するので、捕虫箱（３）全体は係止片（23）によって支持され、捕虫箱（３）が捕虫ケース（１）の内側に図１の図中に示す１点鎖線位置に装着（セット）されるのである。
【００１８】
次に本発明品によって捕虫する方法について説明する。先ず害虫が床や壁或いは天井等に出没しそれを発見した時は、先ず本発明品の柄（４）を片手に持ち、その長さを伸縮調節部（42）で決めると共に捕虫ケース（１）の柄（４）に対する角度を捕虫し易い角度に調節しておく。その後、捕虫ケース（１）の内側に害虫が入るようにゆっくりと被せる。すると、害虫は図５に示す矢印のように、後方に装着した紙製の捕虫箱（３）の中に入る。この時、入口側に傾斜部（34）を設けたものを使用すると、害虫が傾斜部（34）を乗り越えて入って来るため、害虫が奥まで入ってから粘着面（31）に付着されて捕虫出来るものとなる。また害虫が傾斜部（34）を乗り越えて入ったか否かは、透明である捕虫ケース（１）の外側から見れば確認できるので、害虫が見えなくなった時点で手元に捕虫ケース（１）を持って来れば良い。尚、暗い方へ逃げ込まない小虫の場合は、捕虫ケース（１）をスライドさせて捕虫箱（３）の方へ小虫が入るように誘導すると良い。
【００１９】
その後、害虫が粘着面（31）に付着されて捕虫箱（３）の中にある程度の数の害虫を捕えた際には、本発明品をごみ箱まで持って行き、突起（25）を指で掴んで２点鎖線の位置まで可動部（22）を移動させると、係止片（23）が捕虫箱（３）の穴（32）から外れ、捕虫箱（３）が自重によって捕虫ケース（１）の内側から離れ、捕虫箱（３）がごみ箱に自然落下してワンタッチで処分されるものとなるのである。この時、処分するものは紙製の捕虫箱（３）だけであるので、従来の如き有害ガスを発生する合成樹脂は使用されておらず、且つ、従来の如き全体を処分する必要がないないため、自然環境にやさしいものとなるのである。尚、前記捕虫箱（３）の中にゴキブリなどを捕虫した際、その都度、ごみ箱に捨てて処分しても良い。
【００２０】
新たに捕虫箱（３）を装着する場合は、上記同様にして捕虫箱（３）を組立てた後、それを捕虫ケース（１）の内側に装着させれば良い。このように本発明品は手を汚すことなく、紙製の捕虫箱（３）の内部へ確実に害虫が捕獲され、捕虫箱（３）に害虫が一杯に、或いは数匹捕虫したら、捕虫ケース（１）の外側に設けた捕虫箱着脱具（２）を指で操作するだけで、捕虫箱がワンタッチでごみ箱に捨てられ、新たな捕虫箱が簡単にセットできるものとなる。
【００２１】
従って、室内などに突然現れたゴギブリ，蝿，百足などの害虫を発見したら、本発明品を害虫に被せるようにして逃げ道を塞ぐと、害虫は暗い方に設けた粘着面（31）に付着されて動けないようなって捕虫するものとなる。このため、害虫を潰すことがなく、触らず、離れた所から誰でも簡単に効率良く捕虫でき、捕虫後は、そのままごみ箱に処分出来るものとなる。特にはゴキブリや蝿などが苦手な女性であっても、確実に捕虫出来ると共に衛生的に害虫が簡単に駆除できるものとなるのである。尚、上記害虫以外に蜘蛛や蜂或いは虻などの捕虫に本発明品を使用しても良い。
【符号の説明】
【００２２】
１  捕虫ケース
２  捕虫箱着脱具
21  固定部
22  可動部
23  係止片
３  捕虫箱
31  粘着面
32  穴
４  柄
【要約】      （修正有）【課題】床や壁或いは天井等にゴギブリ，蝿，蚊，百足などの害虫の出没時に、手を汚すことなく、確実に且つ効率良く捕虫して除去することができ、ある程度の数の害虫を捕まえた後は、その捕虫が粘着面に付着された捕虫箱をワンタッチでごみ箱に捨てることが出来ると共に、新たな捕虫箱が簡単にセットでき、且つ、自然環境にやさしい捕虫具を提供する。【解決手段】透明で蓋状の捕虫ケース１と、捕虫ケースの外側に取付けると共に捕虫ケースの内側に捕虫箱３が着脱可能に設けられるための捕虫箱着脱具２と、内側に粘着面を有する捕虫箱と、捕虫箱着脱具に先端を回動可能に取付けた柄４と、から構成する。【選択図】図１【図１】
0006026605.tif 000002
【図２】
0006026605.tif 000003
【図３】
0006026605.tif 000004
【図４】
0006026605.tif 000005
【図５】
0006026605.tif 000006